(57)【要約】【課題】消去すべき録画データを的確に示すことにより、余分な録画データを消さないようにした録画装置を提供する。【解決手段】  ＤＶＤレコーダは、入力部、符号化部、記録／読取部、信号処理部、出力部、制御部、を備える。制御部は、ＲＯＭ内に録画予約処理、整理処理、録画処理を実行するサブルーチンを記憶している。新たに録画予約処理をするときに記録媒体の容量が不足する場合には、整理処理を実行する。１つの録画データＸ１をさらに削除すると容量不足を解消する録画データＸ１を検索し、Ｘ１がある場合には（初回のＳＴ２のＹＥＳ）、ＳＴ３でＸ１の候補を表示する。Ｘ１の候補がない場合でも、削除する録画ファイルＹの選択を受け付け（ＳＴ５１）、Ｙと合わせて１つの録画データＸ２をさらに削除すると容量不足を解消する録画データＸ２を検索し（ＳＴ１）、Ｘ２がある場合には（２度目以降のＳＴ２のＹＥＳ）Ｘ２を表示する（ＳＴ３）。【選択図】図１
2008288655.tif 000002
【特許請求の範囲】
【請求項１】
録画データを記録する記録媒体と、
入力した映像信号を録画データとして前記記録媒体に録画する録画手段と、
前記録画手段が所定の映像を新たに録画する上で前記記録媒体が容量不足である場合に、前記記録媒体を整理する整理手段と、を備える録画装置において、
前記整理手段は、
前記記録媒体に記録された録画データのうち、削除する録画データの第１の候補を検索する検索手段と、
前記記録媒体に記録された録画データの一覧を出力すると共に、前記検索手段により検索した第１の候補がある場合には、前記第１の候補の一覧を出力する表示手段と、
前記記録媒体に記録された録画データの一覧の中から、削除する録画データの第２の候補の選択を受け付けると共に、前記第１の候補から削除する録画データの選択を受け付ける選択受付手段と、を備え、
前記検索手段は、前記第２の候補の合計容量Ｖ（ただし、前記第２の候補が選択されていない場合には前記合計容量Ｖ＝０とする。）に加え、前記第２の候補に含まれない１の録画データＸを新たに削除すると前記容量不足が解決するような録画データＸの候補を前記第１の候補として検索し、前記選択受付手段により前記第２の候補が選択されるごとに、前記第１の候補を検索し、
前記表示手段は、前記検索手段が前記第１の候補を検索するごとに前記第１の候補の変更を反映させる録画装置。
【請求項２】
前記表示手段は、前記第１の候補の一覧を表示する際に、前記合計容量Ｖと前記検索手段が検索した録画データＸの容量との合計が、前記録画手段が前記所定の映像を新たに録画する上で不足する容量に最も近い順番で並べた表示を出力する請求項１に記載の録画装置。
【請求項３】
前記選択受付手段は、前記記録媒体に記録された録画データの一覧から録画データＺの選択を受け付けると共に、前記録画データＺの編集を受け付け、
前記検索手段は、前記録画データＺが編集されて部分的に削除されるごとに、前記第１の候補を検索する請求項１〜２のいずれかに記載の録画装置。
【請求項４】
前記表示手段は、前記第２の候補、前記第３の候補の表示と共に、チェックマークの表示を出力し、前記選択受け付け手段によりこれらの候補のいずれかが選択された場合には、前記チェックマークを変化させる請求項１〜３のいずれかに記載の録画装置。
【請求項５】
前記記録媒体は、ハードディスクまたは光ディスクまたはフラッシュメモリである請求項１〜４のいずれかに記載の録画装置。
【発明の詳細な説明】
【技術分野】
【０００１】
本発明は、記録容量が足りなくなったときに記録媒体を整理する録画装置に関する。
【背景技術】
【０００２】
従来より、放送番組を受信するチューナと、ＤＶＤ、ハードディスク等の記録媒体を内蔵し、放送番組を録画するＤＶＤレコーダが実用化されている。このような装置では、記録媒体の容量が不足すると、これ以上の録画ができず、ユーザが記憶媒体を整理する必要があった。
【０００３】
また、特許文献１には、記録媒体の空き容量が足りない場合に、削除すべき放送番組の候補を検索する記録再生装置が開示されている。
【特許文献１】特開２００４−３２８６０８公報
【発明の開示】
【発明が解決しようとする課題】
【０００４】
しかしながら、どの録画データを消去すればよいのか、特許文献１の構成でも十分でなかった。例えば、複数消去しなければ目的とする放送番組の録画ができない場合に、その組み合わせを選択するのが容易ではなかった。
【０００５】
そこで、消去すべき録画データを的確に示すことにより、余分な録画データを消さないようにした録画装置を提供することを目的とする。
【課題を解決するための手段】
【０００６】
本発明は、上述の課題を解決するための手段を以下のように構成している。
【０００７】
（１）  録画データを記録する記録媒体と、
入力した映像信号を録画データとして前記記録媒体に録画する録画手段と、
前記録画手段が所定の映像を新たに録画する上で前記記録媒体が容量不足である場合に、前記記録媒体を整理する整理手段と、を備える録画装置において、
前記整理手段は、
前記記録媒体に記録された録画データのうち、削除する録画データの第１の候補を検索する検索手段と、
前記記録媒体に記録された録画データの一覧を出力すると共に、前記検索手段により検索した第１の候補がある場合には、前記第１の候補の一覧を出力する表示手段と、
前記記録媒体に記録された録画データの一覧の中から、削除する録画データの第２の候補の選択を受け付けると共に、前記第１の候補から削除する録画データの選択を受け付ける選択受付手段と、を備え、
前記検索手段は、前記第２の候補の合計容量Ｖ（ただし、前記第２の候補が選択されていない場合には前記合計容量Ｖ＝０とする。）に加え、前記第２の候補に含まれない１の録画データＸを新たに削除すると前記容量不足が解決するような録画データＸの候補を前記第１の候補として検索し、前記選択受付手段により前記第２の候補が選択されるごとに、前記第１の候補を検索し、
前記表示手段は、前記検索手段が前記第１の候補を検索するごとに前記第１の候補の変更を反映させる。
【０００８】
この構成では、以下の効果が生じる。
（Ａ）１つの録画データを削除すれば容量不足を解消できる場合には、その候補の表示を出力するから、この録画データを削除すれば、ユーザは整理作業から解放される。誤って複数の録画データを削除しなくても済む。
（Ｂ）１つの録画データを削除しても容量不足を解消できない場合でも、録画データを選択すれば、合わせて削除すべき録画データが示される。したがって、ユーザはどの録画データをセットで削除すればよいかの見通しを立てることができる。
（Ｃ）また、ユーザが録画データを選択、修正した場合に、検索手段は、これに合わせて、容量不足を解消するような録画データＸを検索し、録画データＸがあれば、この表示を出力する。ユーザが選択する録画データを選択、修正すれば、より適切な、削除すべき録画データのセットを探索することができる。
（Ｄ）以上のとおり、最適な録画データを削除できるから、録画データを余分に削除しなくても済む。
【０００９】
（２）  前記表示手段は、前記第１の候補の一覧を表示する際に、前記合計容量Ｖと前記検索手段が検索した録画データＸの容量との合計が、前記録画手段が前記所定の映像を新たに録画する上で不足する容量に最も近い順番で並べた表示を出力する。
【００１０】
この構成によれば、ユーザは、前記新たに録画する上で、消去すべき必要最小限の録画データの一覧を知ることができる。したがって、例えば、５００メガバイト消せばいいところ、誤って１ギガバイトの容量の録画データを削除しなくて済む。よって、余分な録画データを消さないようにすることができる。
【００１１】
（３）  前記選択受付手段は、前記記録媒体に記録された録画データの一覧から録画データＺの選択を受け付けると共に、前記録画データＺの編集を受け付け、
前記検索手段は、前記録画データＺが編集されて部分的に削除されるごとに、前記第１の候補を検索する。
【００１２】
この構成では、録画データの編集により部分的に録画データを削除することを可能とし、検索手段は、当該削除された結果に基づいて検索し、表示手段はこれを表示するから、より緻密に不要なデータだけを削除することができ、余分な録画データを消さないようにすることができる。
【００１３】
（４）  前記表示手段は、前記第２の候補、前記第３の候補の表示と共に、チェックマークの表示を出力し、前記選択受け付け手段によりこれらの候補のいずれかが選択された場合には、前記チェックマークを変化させる。
【００１４】
このようにすれば、ユーザは、録画データを選択していることを容易に判別できる。チェックマークを変化させる方法は、例えば形状、色彩、模様の変化などが挙げられる。
【００１５】
（５）  前記記録媒体は、ハードディスクまたは光ディスクまたはフラッシュメモリとしてよい。
【発明の効果】
【００１６】
本発明の録画装置によれば、消去すべき録画データを的確に示すことができ、余分な録画データを消さないようにすることができる。
【発明を実施するための最良の形態】
【００１７】
図１は、この発明の実施形態であるＤＶＤレコーダ１の主要部の構成を示すブロック図である。この実施形態のＤＶＤレコーダ１は、ＤＶＤ等の記録媒体への映像信号の記録、および記録媒体に記録されている録画データの再生を行う。
【００１８】
この実施形態のＤＶＤレコーダ１にマウント可能なＤＶＤ１０は、書き換え可能なＤＶＤ−ＲＷなどや、追記可能な光ディスクＤＶＤ−Ｒなどであるが、本実施形態のＤＶＤに限らず、他の光ディスクに対して記録する場合でも、本装置を応用できる。
【００１９】
入力部２には、映像信号、音声信号を入力する。この映像信号、音声信号は、例えば、アンテナ（不図示）受信され、またはケーブルアナログ形式、デジタル形式の映像信号である。また、映像信号、音声信号は、ＶＨＳテープのドライブから入力してもよい。
【００２０】
符号化部３は、入力部２で入力したアナログ形式の映像信号および音声信号をデジタル信号に変換して、これらをエンコードする。符号化部３は、このエンコードしたデータをディスクドライブ４に出力する。
【００２１】
記録／読取部４は、記録媒体の１種である光ディスクドライブ４１と、ハードディスク４２（ＨＤ４２と略す）と、ハードディスクドライブ４３（ＨＤＤ４３と略す）を備える。光ディスクドライブ４は、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブ４１は、ＤＶＤ１０の読出・記録をする。ＨＤ４２は、記録媒体の１種である。ＨＤＤ４３は、ＨＤ４２を読み書きする。なお、本実施形態の記録媒体は、映像信号、音声信号を記録できればよく、持ち運びできるもののみならず、据付で使用するものも含む。
【００２２】
このような構成により、記録／読取部４は、符号化部３でエンコードされた映像信号、音声信号をＤＶＤ１０またはＨＤ４２に記録する。以下では、映像信号、音声信号の記録媒体への記録を録画という。なお、記録媒体の１種であるフラッシュメモリを読み出し、記録する構成を備えてもよい。
【００２３】
信号処理部５は、復調部、デコーダ、ＯＳＤ合成部を備えている。復調部は、ディスクドライブ４が読み取ったＲＦ信号から、映像データと音声データを復調し、誤り訂正を行う。デコーダは、映像データと音声データをデコードする。ＯＳＤ合成部５は、制御部９が発行するコマンドに基づいてＯＳＤ合成部５の文字、キャラクタ等のＯＳＤ（On-Screen Display）を合成する。デコーダから映像信号が出力されている場合には、この映像信号とＯＳＤ（On-Screen Display）を合成し、出力部６に出力する。
【００２４】
出力部６は、Ｄ/Ａ変換器等を備え、信号処理部５で処理された映像信号、音声信号をＤ/Ａ変換する。出力部６は、Ｄ/Ａ変換した映像信号、音声信号を同期させて、表示器１１、スピーカ１２に出力する。
【００２５】
操作部８は、装置本体に対する操作入力を受け付ける。操作部８は、複数の操作キーや、図示していないリモコン装置から送信されてきた装置本体に対する制御コードを受信するリモコン受信部を有している。操作部８は、ユーザにより操作された操作キーに応じた入力を受け付け、これらに対応したコードや、リモコン受信部で受信した制御コードを制御部９に伝達する。例えば操作部８は、録画（即ち、映像信号のＤＶＤ１０への記録）の指示や、録画の予約の入力を受け付ける。
【００２６】
制御部９は、マイコンまたはマイコンモジュールを含むシステムＩＣで構成し、ＣＰＵ、ＲＡＭ、制御データ格納用のＲＯＭを備える。制御部９は、操作部８で受け付けた入力に基づいて、以上で示した装置のうち２〜８の各部の動作を制御する。また、制御部９のＲＯＭは、予め録画予約を行う録画予約処理９１、整理処理９３、録画動作の開始、停止等の制御を行う録画処理９４を実行するためのサブルーチンを記憶している。
【００２７】
録画予約処理９１には、録画予約受付処理、後処理を含む。録画予約受付処理では、制御部９は、録画予約の項目の選択を受け付ける。
【００２８】
録画予約受付処理は、録画する放送番組の開始前に所定のキー操作を受け付けて実行される。録画予約受付処理では、ユーザから録画予定時間Ｔ［Ｈ］、録画予定時刻、録画するテレビのチャンネル番号、画質を指定するための録画モード、録画する記録媒体の指定を受け付ける。
【００２９】
なお、記録媒体は、ＨＤＤまたはＤＶＤ、その他フラッシュメモリでもよい。以下、記録媒体というときは同様である。
【００３０】
また、録画予約受付処理では、制御部９は、指定された録画モードのビットレートと録画時間との掛け算から、録画予約に必要な大体の記録容量を計算する。さらに、録画予約処理９１では、制御部９は、録画予約受付処理では、指定された記録媒体の残りの容量と、録画予約に必要な記録容量とを比較する。そして、残りの容量が不足する場合には、整理処理９３を行う。
【００３１】
整理処理９３には、検索処理、ＯＳＤ（On-Screen Display）処理、選択受付処理を含む。検索処理では、削除する録画データの候補を検索する。ＯＳＤ処理では、検索した録画データ等を表示する。選択受付処理では、削除する録画データの選択を受け付ける。また、ＯＳＤ処理では、検索処理、選択受付処理の実行に伴ってＯＳＤの変化を反映させる。
【００３２】
整理処理９３により容量不足を解消すると、制御部９は、録画予約処理９１に戻り、録画予約処理９１の後処理を実行する。
【００３３】
後処理では、制御部９は、録画予約のデータを記録媒体、または制御部９内の図示しないフラッシュメモリ等（制御部９に接続されているものでもよい）に記録する。制御部９は、後処理で記録したデータに基づいて割り込みを入れ、録画処理９４のサブルーチンを呼び出して実行する。録画処理９４では、制御部９は、録画動作の開始、停止等の制御を行う。
【００３４】
ＤＶＤレコーダ１には、表示器１１とスピーカ１２が接続されている。表示器１１は、出力部６から出力された再生映像信号に基づいて映像を表示する。スピーカ１２は、出力部６から出力された再生音声信号を増幅して音声を放出する。
【００３５】
次に、図２、図３で示すＯＳＤ（On-Screen Display）９１１〜９１５を用いて、整理処理９３について説明する。図２のタイトルＡ〜タイトルＥは、録画データの名称（例えば放送番組の名称）を表わしている。図２（Ａ）のＯＳＤ９１１は、１つの録画データＸ１を削除した場合に、録画予約処理９１で新たに録画する上で記録媒体の容量不足を解消できる録画データＸ１の一覧を（この一覧は、本発明の第１の候補に相当する。）表示するＯＳＤを表わしている。ＯＳＤ９１１の左側の欄には、記録媒体に記録されている全録画データＹの名称が列挙されている。ここでは、タイトルＡ〜タイトルＥが記録されているとする。
【００３６】
なお、上記「録画予約処理９１で新たに録画する上で記録媒体の容量不足を解消できる場合」を、以下では単に「容量不足を解消できる場合」と称する。また、録画予約処理９１で新たに録画する上で、不足している記録媒体の容量を「不足容量」と称する。
【００３７】
右側の欄には、記録媒体の容量不足を解消できる録画データＸ１があれば、そのタイトルを表示する。ここでは、タイトルＡのみがこれに該当するものとし、図２（Ａ）はそれを示している。また、右側の欄には、このタイトルＡの記録容量（図２（Ａ）では、１００メガ）を表示するのが望ましい。
【００３８】
左側、右側の欄の□は、削除する録画データを選択するためのチェックマークである。ユーザが操作部８のカーソルキー（不図示）でタイトルＡ〜Ｅのいずれかを選択して、決定キー（不図示）を押した場合に、■のように黒く塗りつぶす表示をする。図２（Ａ）の状態で、右欄のタイトルＡが選択されると、図２（Ｂ）のようにチェックマークが塗りつぶされる。左欄のタイトルＢ〜Ｅが選択されると、同様に黒く塗りつぶすＯＳＤを出力される。
【００３９】
図２（Ｂ）は、右欄についてタイトルＡの録画データの削除の承諾をユーザから得るためのＯＳＤ９１２を表わしている。例えば、「タイトル削除を実行しますか？ＹＥＳ／ＮＯ」と表示する。この場合に、「ＹＥＳ」が選択されると、タイトルＡの録画データが削除される。
【００４０】
図３（Ａ）は、記録媒体に記録されている録画データＹのうち、いずれの１つの録画データを削除しても記録媒体の容量不足を解消できない場合に、表示器１１に表示するＯＳＤ９１３を表わしている。容量不足を解消できない場合には、図２（Ａ）の場合と異なり、１つの録画データを削除しても記録媒体の容量不足を解消できないから、右欄は空欄となっている。一方、左欄は、記録媒体に記録された録画データＹの一覧を表示しており、選択されたタイトルがハイライト表示されている。ハイライト表示されている部分は、現在ユーザが選択している部分を示しており、操作部８のカーソルキー（不図示）で移動可能となっている。タイトルＣが操作部８の決定ボタン（不図示）により選択が決定されると、図３（Ｂ）のようなＯＳＤ９１４に変化する。
【００４１】
図３（Ｂ）のＯＳＤ９１４では、ユーザが選択した削除するタイトル（図３（Ａ）ではタイトルＣ）の録画データの合計容量（これを合計容量Ｖとする。）に加え、その他のタイトルの録画データＸ２を新たに１つ削除した場合に、容量不足を解消する録画データＸ２の候補の一覧を右側に示している。この例では、タイトルＡ，Ｃがこれに該当する。
【００４２】
なお、図３（Ｂ）の左欄から、ユーザにより選択が決定された録画データは、本発明の「第２の候補」に相当する。また、記録媒体に記録された録画データＹは、複数の選択を受け付けてもよい。録画データＹの合計容量ＶとＸ２の容量が不足する容量を超えるＸがある場合に、初めてＸ２が表示される。
【００４３】
図３（Ｃ）は、承諾画面のＯＳＤ９１５を表わしている。右欄についてタイトルＡが選択され、チェックマークが塗りつぶされた場合に、ユーザに録画データの削除の承諾を得るためのＯＳＤ９１２を表わしている。例えば、「タイトル削除を実行しますか？ＹＥＳ／ＮＯ」と表示する。この場合に、「ＹＥＳ」が選択されると、ユーザが、左欄で選択したタイトルＣおよび右欄で選択したタイトルＡの録画データが削除される。
【００４４】
なお、以上では、タイトルＡ〜Ｅの選択時に、四角のチェックマークを塗りつぶしたが、チェックする鍵字の記号や、項目全体の反転、ハイライト表示等、選択されていることが分かるものであれば何でもよい。
また、ＯＳＤ９１１〜９１５では、制御部９が選択した候補を右側に記載したが、左側でもよいし、上下に並べてもよい。制御部９が選択したことが分かるようにすればよい。以下の説明も同様である。
【００４５】
図４を用いて、以上図２、図３を用いて説明した整理処理９３のフローを示す。このフローは、録画予約処理９１の録画予約受付処理で、容量不足である場合に実行する。
ＳＴ１は、検索処理のサブルーチンによって実行する。ＳＴ１では、記録媒体に記録されている録画データのうち、１つの録画データＸをさらに削除すれば記録媒体の容量不足を解消できる録画データＸの候補を検索する。
【００４６】
第１回目に図４のフローを実行するときは、図２、図３の左側で録画データがユーザにより選択されていない状態（すなわち、合計容量Ｖ＝０の状態）である。したがって、この場合には、ＳＴ１で、不足容量を超える容量の録画データＸ１を検索する。
また、図４のフローの実行中にＳＴ１、ＳＴ５１から戻ってきて、第２回目以降にＳＴ１を実行するときであって、図２、図３の左側で録画データがユーザにより選択されている状態であれば（すなわち、合計容量Ｖ＞０の状態であれば）、不足容量からＶを引いた容量を超える録画データＸ２を検索する。
【００４７】
なお、この検索した録画データＸ１、Ｘ２は、いずれも前記録画データＸに相当する。また、ＳＴ１で検索する録画データが本発明の「第１の候補」に相当する。
【００４８】
ＳＴ２〜ＳＴ４は、ＯＳＤ処理のサブルーチンによって実行する。ＳＴ２で、ＳＴ１で検索した候補Ｘが存在するか判断する。ＳＴ１で検索した候補が存在する場合（ＳＴ１のＹＥＳ）、ＳＴ３で、この候補と共に、記録媒体に記録された録画データを表示する。例えば、図２（Ａ）のように表示する。ＳＴ１で検索した候補が存在しない場合（ＳＴ１のＮＯ）、ＳＴ４で、候補が空欄のＯＳＤを表示する。例えば、図３（Ａ）のように表示する。その後、ＳＴ５１に移動する。
【００４９】
なお、ＳＴ２〜ＳＴ４の表示処理は、本発明の「表示手段」に相当する。
【００５０】
ＳＴ５、ＳＴ５１は、選択受付処理のサブルーチンによって実行する。ＳＴ５では、削除する録画データの選択を右欄から受け付ける。この選択は、例えば上下のカーソルキー（不図示）で行う。ＳＴ５では、削除する録画データＸ１、Ｘ２、Ｙの選択は、図２、図３で示す左欄、右欄両側から受け付ける。左欄からの選択は、記録媒体に記録されている録画データの中から受け付ける。右欄からの選択は、ＳＴ１で、制御部９が検索した録画データの中から受け付ける。
【００５１】
ＳＴ５１は、ＳＴ５と同様の選択を受け付ける。この場合には、右欄は空欄であるから、左欄に示された、記録媒体に記録されている録画データＹの中から選択を受け付ける。選択を受け付けた場合には、図３（Ｂ）のように、チェックマークが黒く塗りつぶされる。その後、ＳＴ１に戻って、再度、検索を行う。削除する候補がない限り（ＳＴ２のＮＯ）、ＳＴ１、ＳＴ２、ＳＴ４、ＳＴ５１を繰り返して、左欄から選択を受け付ける。
【００５２】
なお、ＳＴ５、ＳＴ５１の処理を行う制御部９の構成は、本発明の「選択受付手段」に相当する。
【００５３】
ＳＴ６では、ＳＴ５で選択された録画データが、検索された録画データであるか判断する。すなわち、図２（Ａ）、図３（Ｂ）の右欄から選択されたかどうか判断する。この判断が肯定なら（ＳＴ６のＹＥＳ）、ＳＴ７に移動する。この判断が否定なら（ＳＴ６のＮＯ）、左欄に示された、記録媒体に記録されている録画データの中から、録画データが選択されたことになる。この場合、ユーザが左欄から選択した合計容量Ｖが変化したから、ＳＴ１に戻って検索をやり直す。
【００５４】
ＳＴ７、ＳＴ８は、削除処理のサブルーチンによって実行する。ＳＴ７では、選択された録画データを削除してよいかの承諾画面のＯＳＤを出力する。例えば、図２（Ｂ）、図３（Ｃ）のように出力する。その後、ＳＴ８で削除処理を行う。ここで削除される録画データは、左欄、右欄の両側で選択された録画データになる。ただし、左欄で選択されていない場合には、右欄で選択された録画データが削除される。
【００５５】
以上のとおり、この実施形態のＤＶＤレコーダ１は、現状からさらに１つの録画データＸを削除すれば容量不足を解消するような録画データＸを検索し、その録画データを表示する（ＯＳＤ９１１、９１４）。したがって、以下の効果が生じる。
【００５６】
（Ａ）１つの録画データを削除すれば容量不足を解消できる場合には（第１回目でＳＴ１がＹＥＳとなった場合）、その候補のＯＳＤ９１１を表示するから、この録画データを削除すれば、ユーザは整理作業から解放される。誤って複数録画データを削除しなくても済む。
（Ｂ）１つの録画データを削除しても容量不足を解消できない場合でも、録画データを選択すれば、合わせて削除すべき録画データが示される（ＳＴ３、ＯＳＤ９１４）。したがって、ユーザはどの録画データをセットで削除すればよいかの見通しを立てることができる。
（Ｃ）また、ユーザが録画データを選択、修正した場合に（ＳＴ６のＮＯ）、検索処理により、ユーザの選択、修正に合わせて、容量不足を解消するような録画データＸを検索し、録画データＸがあれば、これを表示する（ＳＴ３）。ユーザがＳＴ７で選択する録画データを選択、修正すれば、ユーザは、より適切な、削除すべき録画データのセットを探索することができる。
（Ｄ）以上のとおり、最適な録画データを削除できるから、録画データを余分に削除しなくても済む。
【００５７】
図５を用いて、図２（Ａ）、図３（Ｂ）のＯＳＤを表示している間に、部分的に録画データの編集を受け付ける処理について説明する。この操作は、操作部８から、所定のキー操作、例えば、カーソルキーの左右ボタン（不図示）により行う。図５に示すように、選択されているタイトルＢを再生するサブ画面９６１を重ねて表示するＯＳＤ９１６を出力する。サブ画面９６１内の周辺には、時刻表示バー９６２を表示する。画面９６１を表示している間、再生、早送り、巻き戻し等の操作を受け付け、決定キー（不図示）で、開始点９６３、終了点９６４の選択を受け付ける。開始点９６３、終了点９６４は、録画データのうち削除する部分の開始点、終了点を表している。検索処理では、この開始点９２３、終了点９２４が設定されると、その量だけ削除されるものとして、合計容量Ｖに追加して、図４のＳＴ１の検索処理を行い、検索結果のＯＳＤを出力する。
【００５８】
この検索により、候補９６５に示すように、新たにＤが追加されたとする。この候補が出力されているので、ユーザはデータ容量の大きいタイトルＡの録画データのみならず、より容量の小さいタイトルＤの削除を選択することができる。このように、録画データを部分的に削除できるから、より緻密に記録媒体内部を整理できる。よって、余分な録画データを消さないようにすることができる。
【００５９】
なお、以上の図５で示した、録画データの部分的な削除を行う構成は必須ではないが、より緻密に、録画データを削除しないで済むようにするには、この構成を採用するのが望ましい。
【００６０】
また、以上図２、図３、図５で示した、右欄の検索結果は、録画データを不必要に消去することがないよう、上から、不足する容量に近い順に並べるのが望ましい。すなわち、小さい容量の録画データから順に並べるようにする。
【図面の簡単な説明】
【００６１】
【図１】第１実施形態の録画装置の構成図
【図２】第１実施形態の録画装置の整理処理を行うときのＯＳＤの例
【図３】第１実施形態の録画装置の整理処理を行うときのＯＳＤの例
【図４】第１実施形態の録画装置の整理処理のフロー図
【図５】第１実施形態の録画装置の整理処理を行うときのＯＳＤの例
【符号の説明】
【００６２】
１−ＤＶＤレコーダ、  ２−入力部、  ３−符号化部、
４−記録／読取部、  ４１−光ディスクドライブ、  ４２−ハードディスク（ＨＤ）、
４３−ハードディスクドライブ（ＨＤＤ）、  ５−信号処理部、  ６−出力部、
８−操作部、  ９−制御部、  ９１−録画予約処理、
９１１〜９１６−ＯＳＤ（On-Screen Display）、
９３−整理処理、  ９４−録画処理、  ９６１−サブ画面、  ９６２−時刻バー、
９６３−開始点、  ９６４−終了点、  ９６５−候補、
１０−ＤＶＤ、  １１−表示器、  １２−スピーカ
【図１】
2008288655.tif 000003
【図２】
2008288655.tif 000004
【図３】
2008288655.tif 000005
【図４】
2008288655.tif 000006
【図５】
2008288655.tif 000007